(57)【要約】【課題】  パレットの角部を、簡単な構造で保護できるパレットガードを提供する。【解決手段】  パレット６０の角部６１に取り付けて使用するパレットガード１００であって、底壁部１０と、当該底壁部１０から立ち上がる２つの側壁部（２０、３０）とを備え、前記底壁部１０と前記側壁部（２０、３０）とにより、前記パレット６０の角部６１を覆うことができることを特徴とする。【選択図】図２
0003188148.tif 000002
【実用新案登録請求の範囲】
【請求項１】
パレットの角部に取り付けて使用するパレットガードであって、
底壁部と、当該底壁部から立ち上がる２つの側壁部とを備え、
前記底壁部と前記側壁部とにより、前記パレットの角部を覆うことができることを特徴とするパレットガード。
【請求項２】
前記側壁部の端部には、差込溝が設けてあり、
当該差込溝には、板状の掲示物を差し込み可能なことを特徴とする請求項１に記載のパレットガード。
【考案の詳細な説明】
【技術分野】
【０００１】
本考案は、スーパーマーケット等において、箱詰めにされた複数の商品をパレットに積載した状態のままで陳列する際に、そのパレットに取り付けて用いるパレットガードに関する。
【背景技術】
【０００２】
従来から、複数の商品が詰められた梱包箱等をパレット上に複数個積み上げ、そのパレットを運搬用のトラックにそのまま格納して、各スーパーマーケット等へ運搬している。
【０００３】
そして、近年、格安で大型のスーパーマーケット等では、その商品が積み上げられたパレットをフォークリフト等でトラックから降ろし、そのままの状態で、つまり、パレットに商品を積載したままの状態で、店舗内で商品陳列をする場合がある。これにより、商品を梱包箱から取り出して、陳列し直すという手間が省け、大幅に人件費を削減できる。
【考案の概要】
【考案が解決しようとする課題】
【０００４】
しかしながら、店舗内の床に、商品が積み上がったパレットをそのまま設置するため、買物客がパレットの角部に、自身の足等をぶつけてしまう等の虞がある。また、ショッピングカート等がパレットの角部に接触して、パレット自体が損傷を受ける可能性がある。
【０００５】
そこで、本考案は、上記問題に鑑み、パレットの角部を、簡単な構造で保護できるパレットガードを提供するものである。
【課題を解決するための手段】
【０００６】
上記課題を解決するために、本考案のパレットガードは、パレットの角部に取り付けて使用するものであって、底壁部と、当該底壁部から立ち上がる２つの側壁部とを備え、前記底壁部と前記側壁部とにより、前記パレットの角部を覆うことができることを特徴としている。
【０００７】
上記特徴によれば、底壁部とそこから立ち上がる２つの側壁部という簡単な構造により、パレットの角部を覆って保護することができる。
【０００８】
さらに、本考案のパレットガードは、前記側壁部の端部には、差込溝が設けてあり、当該差込溝には、板状の掲示物を差し込み可能なことを特徴としている。
【０００９】
上記特徴によれば、差込溝を利用して、板状の掲示物（例えば、商品について紹介する掲示物（POP）など）を掲載することができる。また、パレット両側の角部にパレットガードを取り付けた場合、互いのパレットガードの差込溝を利用して、長尺状の掲示物を掲載できる。これにより、パレットガードの側面を掲示物で覆うことでき、見栄えも格段に良くなる。
【考案の効果】
【００１０】
上記したように、本考案によれば、パレットの角部を、簡単な構造で保護できる。
【図面の簡単な説明】
【００１１】
【図１】本考案のパレットガードを示したもので、（a）は正面側からの全体斜視図、（ｂ）は背面側からの全体斜視図、（ｃ）は平面図、（ｄ）は側面図である。
【図２】（a）は、図１に示すパレットガードをパレットの四隅に取付け、パレットガードの差込溝に板状の掲示物を差し込んだ状態の全体斜視図、（ｂ）はパレットとパレットガードを分離した状態の全体斜視図である。
【図３】図１に示すパレットガードをパレットに取付け、店舗内で使用する態様を示す全体斜視図である。
【図４】（a）及び（ｂ）は、図1に示すパレットガードとパレットとの高さの関係を示す正面図である。
【図５】本考案の他例のパレットガードを示すもので、（a）は当該パレットガードの平面図、（ｂ）は背面側の全体斜視図、（ｃ）はパレットガードに側板を取り付けた状態の平面図、（ｄ）は背面側の全体斜視図である。
【符号の説明】
【００１２】
１０  底壁部
２０  右側壁部
３０  左側壁部
４０  差込溝
５０  差込溝
６０  パレット
１００  パレットガード
【考案を実施するための形態】
【００１３】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００１４】
図１は、本考案のパレットガード１００を示しており、図１（a）はパレットガード１００の正面側の全体斜視図、図１（ｂ）はパレットガード１００の背面側からの全体斜視図、図１（ｃ）はパレットガード１００の平面図、図１（ｄ）はパレットガード１００の側面図である。
【００１５】
図１（a）から（ｄ）に示すように、パレットガード１００は、底壁部１０と、当該底壁部１０から立ち上がる２つの右側壁部２０及び左側壁部３０から構成されている。具体的には、底壁部１０は、平面視略正方形であり、その２つの端辺から、それぞれ右側壁部２０及び左側壁部３０が直角に立ち上がるように形成されている。そして、右側壁部２０の端部２１と左側壁部３０の端部３１は、互いに略直角に連結しており、角が面取りされた形状の角部２３を形成している。
【００１６】
また、図１（ｂ）に示すように、底壁部１０、右側壁部２０、及び左側壁部３０の各面は、それぞれ互いに略直角に交わっており、後述するパレットの角部周辺の底面と両側面を覆い尽くすことができるようになっている。
【００１７】
さらに、右側壁部２０の端部２２には、右側壁部２０の厚み方向の中心を切欠いた、差込溝４０が設けられている。この差込溝４０は、一定の深さであって、右側壁部２０の上端側から下端側まで均一の幅で設けられている。また、差込溝４０の上端４１は開口しており、一方の下端４２は壁部となっている。これは、後述する掲示物を差込溝４０の上端４１から差込めるようにし、差し込まれた掲示物を差込溝４０の下端４２により支持するためである。
【００１８】
同様に、左側壁部３０の端部３２には、左側壁部３０の厚み方向の中心を切欠いた、差込溝５０が設けられている。この差込溝５０は、一定の深さであって、差込溝５０の上端側から下端側まで均一の幅で設けられている。また、差込溝５０の上端５１は開口しており、一方の下端５２は壁部となっている。さらに、この差込溝５０の幅と深さは、差込溝４０の幅及び深さとそれぞれ同一に設定さている。
【００１９】
なお、このパレットガード１００は、全体を合成樹脂や合成ゴム等の素材で、一体形成されている。また、底壁部１０、右側壁部２０、及び左側壁部３０の形状、大きさ、及び厚さは、仕様に応じて適宜変更することができる。また、差込溝４０及び差込溝５０の幅や深さは、そこに差し込みたい掲示物の形状に応じて、適宜変更することができる。
【００２０】
では、次に、このパレットガード１００をパレット６０に取り付けた状態を図２に示す。
【００２１】
図２（a）に示すように、パレット６０の四隅の各角部６１には、パレットガード１００が取り付けられており、さらに各差込溝には掲示物Bの両端部がそれぞれ差し込まれている。このように、パレット６０の各角部６１はパレットガード１００により覆われているので、買物客が角部６１に足をぶつける虞もない。また、ショッピングカート等が角部６１に接触して、パレット６０自体が損傷を受ける虞もない。
【００２２】
では、次に、パレット６０とパレットガード１００との関係をより詳しく説明するため、パレット６０とパレットガード１００とを分離した状態を図２（ｂ）に示す。
【００２３】
まず、パレット６０であるが、パレット６０は４つの角部６１を有した略直方体形状をしており、その内部は、軽量化のために複数の穴６３を設けた格子形状となっている。また、パレット６０は、フォークリフト等で運搬されるため、そのフォークリフトのフォーク部分が差し込めるように、複数の差込穴６２が設けられている。
【００２４】
パレットガード１００は、右側壁部２０と左側壁部３０より、角部６１周辺の側面６４と側面６５を囲い、底壁部１０により底面６６を囲っている。そのため、パレットガード１００は角部６１の周囲を確実に覆うことができる。さらに、隣接するパレットガード１００同士の差込溝４０と差込溝５０には、掲示物Bの両端がそれぞれ差し込まれている。この掲示物Bは、長尺状の板状部材であり、その表面には商品の情報等を書き込んでPOPとして利用できる。
【００２５】
では、次に、図２（a）に示すパレット６０を利用して、実際に店舗内で商品を販売する態様を図３に示す。
【００２６】
図３に示すように、パレット６０の上には、複数の梱包箱Pが積み上げられた状態となっており、買物客は、積み上げられた一番上の梱包箱Pから購入していく。
【００２７】
また、図３に示すように、床に置かれたパレット６０の４つの側面は、パレットガード１００及び掲示物Bにより囲まれているので、パレット６０のすべての側面が外部から隠され、見栄えが良くなっている。また、パレット６０の底面は店舗の床に置かれ、パレット６０の上面は積み上げられた梱包箱Pによって見えないので、パレット６０全体は完全に外部から隠され、見栄えが良くなっている。
【００２８】
さらに、積み上げられた梱包箱Pの中段の梱包箱P１と梱包箱P２の間には、パレットガード１００を利用して掲示物Bを掲載している。具体的には、パレットガード１００を梱包箱P１の下角部に取付け、梱包箱P２の上面に載置する。言い換えると、パレットガード１００の底壁部１０を、梱包箱P１と梱包箱P２の隙間に差し込んで、取り付けるのである。そして、各梱包箱P１に取り付けたパレットガード１００の差込溝を利用して、掲示物Bを掲載する。
【００２９】
このように、パレットガード１００はパレット６０の角部６１のみではなく、梱包箱Pの角部に取り付けることもでき、パレットガード１００を利用して掲示物Bを掲載すれば、商品の宣伝効果を増進させることができる。なお、この掲示物Bには、商品の宣伝等を掲載できる他、例えば、商品を倉庫等で保管する場合に、商品を識別するための品番やバーコード等を掲載してもよい。
【００３０】
では、次に、図４を参照して、パレット６０とパレットガード１００の高さの関係について詳しく説明する。
【００３１】
図４（a）は、パレット６０の角部６１に取り付けられたパレットガード１００周辺の拡大図を示している。パレット６０の上には梱包箱Pが載せられ、パレット６０の角部６１はパレットガード１００により覆われている。また、左側壁部３０の差込溝５０には掲示物Bが差し込まれている。なお、内部を見やすくするために、左側壁部３０の一部を破断線により示している。
【００３２】
図４（a）に示すように、パレットガード１００の高さ（左側壁部３０及び右側壁部２０の高さ）L２は、パレット６０の高さL１と等しく設定されている。また、掲示物Bの高さL３は、パレットガード１００の高さL２と等しく設定されている。
【００３３】
そのため、パレット６０の上に、梱包箱Pを積む又は降ろす際に、梱包箱Pの下部がパレットガード１００や掲示物Bに閊えて邪魔になることはない。なお、パレットガード１００の高さ（左側壁部３０及び右側壁部２０の高さ）L２、及び掲示物Bの高さL３を、パレット６０の高さL１より低くしてもよく、その場合であっても、上記と同様の効果を得られる。
【００３４】
では、次に、図４（ｂ）を参照して、パレット６０の高さL１より、高さが低いパレット６０´を利用した場合に、パレットガード１００との関係について詳しく説明する。
【００３５】
図４（ｂ）に示すように、パレット６０´は高さL４（L４＜L１）となっているため、パレットガード１００の高さL２及び掲示物Bの高さL３は、このL４より大きくなる。すると、梱包箱Pの側面の下部P３が掲示物B及びパレットガード１００に接触することになる。そのため、例えば、梱包箱Pに外力が加わっても、パレット６０´の上に積載された梱包箱Pは、パレットガード１００及び掲示物Bの内面に接触して、パレット６０´から安易に落ちる事がない。
【００３６】
なお、図４（a）及び（ｂ）では、パレット６０の高さを変更した場合について説明したが、これに限られず、パレットガード１００の高さが、パレット６０の高さより低く、又は高くなるように、パレットガード１００の形状を変更してもよい。
【００３７】
次に、図５を参照して、本考案のパレットガード１００の変形例であるパレットガード２００について説明するが、一実施形態のパレットガード１００と共通する構成については説明を省略する。
【００３８】
図５（a）及び（ｂ）に示すように、パレットガード２００は、底壁部２１０と、底壁部２１０から立ち上がる２つの右側壁部２２０及び左側壁部２３０から構成されている。そして、この右側壁部２２０の端部２２２は、薄肉状となっており、端部２２２の反対側の厚肉状の端部２２１との間に、段部２２４が形成されている。また、端部２２１の厚肉状の部分には、ネジ穴F１が形成されている。同様に、左側壁部２３０の端部２３２も薄肉状となっており、厚肉状の端部２３１との間に、段部２３４が形成され、一方、端部２３１にはネジ穴F１が形成されている。
【００３９】
そして、図５（ｃ）及び（ｄ）に示すように、略くの字状の側板２７０を、右側壁部２２０及び左側壁部２３０の内面に取り付ける。これにより、差込溝２４０及び差込溝２５０が形成される。なお、側板２７０を取り付けなくても、パレットガード２００は、パレットの角部を保護するために勿論利用できる。
【００４０】
詳しく説明すると、まず、側板２７０は、薄板状の右側板２７１及び左側板２７２から構成され、中央が略直角に折れ曲がった形状をしている。そして、右側板２７１及び左側板２７２には、パレットガード２００の右側壁部２２０及び左側壁部２３０に設けられたネジ穴F１と対応する位置に、それぞれ貫通孔が設けられており、その貫通孔を通してネジF２（又は、ビス等）がネジ穴F１に螺合される。これにより、側板２７０が右側壁部２２０及び左側壁部２３０に強固に固定される。
【００４１】
このように、側板２７０が右側壁部２２０及び左側壁部２３０の内面に固定されると、端部２２２と右側板２７１とで両側面が囲まれた差込溝２４０が形成される。この差込溝２４０は、上端が開放され、下端が底壁部２１０により塞がれている。従って、掲示物を差込溝２４０の上方から差し込んで保持することができる。また、この差込溝２４０の幅は段部２２４の幅で決定されるが、差し込む掲示物の厚さに応じて、段部２２４の幅を変更してもよい。
【００４２】
同様に、端部２３２と左側板２７２とで両側面が囲まれた差込溝２５０も形成される。この差込溝２５０は、上端が開放され、下端が底壁部２１０により塞がれている。また、この差込溝２５０の幅は段部２３４の幅で決定されるが、差し込む掲示物の厚さに応じて、段部２３４の幅を変更してもよい。
【００４３】
なお、本考案のパレットガードは、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003188148.tif 000003
【図２】
0003188148.tif 000004
【図３】
0003188148.tif 000005
【図４】
0003188148.tif 000006
【図５】
0003188148.tif 000007